(57)【要約】【課題】装置の小型化を図り、ガイドシャフトの高さ調整の荷重を大きくすることなく、スラスト方向のガタを抑制して、組立性の向上を図る。【解決手段】ガイドシャフの高さ調整の付勢用バネをコイルバネ７とし、このコイルバネ７のコイル部７ａにガイドシャフト２を挿入させて該コイルバネを圧縮した状態でコイル部７ａの一端をガイドシャフト２に一体化支持させるとともに他端をシャーシ側に固定させ、シャーシ３に当接させたコイルバネ７の端部７ｂの付勢力でガイドシャフト２を高さ調製部材５に当接させたものである。【選択図】図１
2011129200.tif 000002
【特許請求の範囲】
【請求項１】
ピックアップを記録媒体の半径方向に移動させるガイドシャフトを備えたディスク装置において、前記ガイドシャフの高さ調整の付勢用バネをコイルバネとし、このコイルバネのコイル部に前記ガイドシャフトを挿入させて該コイル部の一端を該ガイドシャフトに一体化支持させ該コイルバネを圧縮した状態で他端を固定側に支持させ、固定側に当接させた前記コイルバネの端部の付勢力で前記ガイドシャフトを高さ調製部材に当接させたことを特徴とするディスク装置。
【請求項２】
コイルバネのコイル部を圧縮バネ形状とし、ガイドシャフトの端部にコイルバネのコイル部が一体化係合する段差部を形成したことを特徴とする請求項１記載のディスク装置。
【請求項３】
コイルバネのコイル部をタケノコ形状とし、ガイドシャフトの端部を一体化圧入するタケノコ形状の細径部を形成したことを特徴とする請求項１記載のディスク装置。
【発明の詳細な説明】
【技術分野】
【０００１】
この発明は、光ディスクなどの記録媒体への情報の記録または記録媒体に記録された情報の再生を行うピックアップを該記録媒体に対して平行移動させるガイドシャフトを備えたディスク装置に関する。
【背景技術】
【０００２】
従来この種のディスク装置は、ガイドシャフトをシャーシに固定するために、例えば、ガイドシャフトのラジアル方向の動きを規制するガイド壁及びガイドシャフトの略中央部とガイド壁に線バネを掛けるための係止片がシャーシに切り起こし形成されているとともに、係止片とガイドシャフトとの間に線バネを掛けることによって、ガイド壁間に挿入したガイドシャフトを調整ネジに押し付けて該ガイドシャフトを保持している。
【０００３】
この保持は、高さ調整部材としての高さ調整ネジにガイドシャフトを押し付ける線バネ及びその線バネを取り付けるガイドシャフト略中央部の係止片がガイド壁と離れた位置に配置されているため、ガイドシャフト端部から離れた位置に線バネや係止片への取付けスペースが必要となり、ガイド壁を含む線バネや係止片への取付けスペースが増大し、これらの取付けスペースには他の構成部品を取り付けることができない。このため、ガイドシャフトの近傍に他の構成部品を取り付ける場合、線バネと係止片を避けて他の構成部品の取付けスペースを確保する必要があり、シャーシを必要以上に大きく形成するなど、ディスク装置のコンパクト化並びに小型化には不利である。
【０００４】
そこで、ガイド壁とストップ部との間に配置したフック部と対向する位置にコイルバネを設けて、シャーシに対するガイドシャフトの保持の占有スペースを低減したディスク装置が特許文献１に開示されている。
【先行技術文献】
【特許文献】
【０００５】
【特許文献１】特開２００６−１５５７８１号公報
【発明の概要】
【発明が解決しようとする課題】
【０００６】
しかし、特許文献１に開示された構成では、ガイドシャフトをコイルバネによって高さ調整ネジに押圧させているだけであるから、ガイドシャフトのスラスト方向のガタを抑制することができない。このスラスト方向のガタを抑制するには、高さ調整に必要な荷重以上にコイルバネの荷重を大きくするか、スラスト方向のガタを抑制のために別の部材を必要とするという課題があった。
【０００７】
この発明は、上記のような課題を解消するためになされたもので、装置の小型化を図り、ガイドシャフトの高さ調整の荷重を大きくすることなく、スラスト方向のガタを抑制して、組立性を向上したディスク装置を提供することを目的とする。
【課題を解決するための手段】
【０００８】
この発明に係るディスク装置は、ガイドシャフトの高さ調整の付勢用バネをコイルバネとし、このコイルバネのコイル部にガイドシャフトを挿入させてコイル部の一端をガイドシャフトに一体化支持させ該コイルバネを圧縮した状態で他端を固定側に支持させ、固定側に当接させたコイルバネの端部の付勢力でガイドシャフトを高さ調製部材に当接させたものである。
【発明の効果】
【０００９】
この発明によれば、ガイドシャフトの高さ調整の付勢用バネをコイルバネとし、このコイルバネのコイル部にガイドシャフトを挿入させてコイル部の一端をガイドシャフトに一体化支持させ該コイルバネを圧縮した状態で他端を固定側に支持させ、固定側に当接させたコイルバネの端部の付勢力でガイドシャフトを高さ調製部材に当接させた構成であるから、コイルバネの伸長力がガイドシャフトをスラスト方向に付勢することにより、ガイドシャフトに対するコイルバネの高さ調整荷重を必要以上に大きくすることなく、ガイドシャフトのスラスト方向のガタを確実に抑制することができる。また、コイルバネはシャーシに当接して押圧される端部の付勢力によってガイドシャフトに対してラジアル方向、つまり、高さ方向の付勢力を発揮するもので、高さ調整部材の動きに迅速に追従してガイドシャフトの高さを変えてピックアップの姿勢調整を行うことができる。
【図面の簡単な説明】
【００１０】
【図１】この発明に係るディスク装置の要部を示す底面図である。
【図２】このディスク装置の実施の形態１におけるガイドシャフトの一端部の拡大斜視図である。
【図３】このガイドシャフトの一端部の拡大縦断面である。
【図４】このディスク装置の実施の形態２におけるガイドシャフトの一端部の拡大斜視図である。
【図５】このガイドシャフトの一端部の拡大縦断面である。
【発明を実施するための形態】
【００１１】
以下、この発明の実施の形態を図面について詳細に説明する。
実施の形態１．
この発明に係るディスク装置の実施の形態１は、図１〜３に示すように、ピックアップ１の移動を案内するガイドシャフト２、このガイドシャフト２のラジアル方向の動きを規制するようにシャーシ（固定側）３に切り起こし形成されたガイド壁４、ガイドシャフト２のスラスト方向の動きを規制するとともに該ガイドシャフトの高さ調整部材としての高さ調整ネジ５が螺着されるようにシャーシ３にカシメ固定されたボス６、ガイド壁４間においてガイドシャフト２の端部を挿通支持するコイルバネ７、このコイルバネ７のストッパ８を備えている。
【００１２】
ガイドシャフト２は図３に示すように、コイルバネ７のコイル部７ａに挿入する端部に段差部２ａを設けたもので、このガイドシャフト２を挿入したコイルバネ７のコイル部７ａの一端を段差部２ａに当接させて一体化し、コイルバネ７を圧縮させた状態でコイル部７ａの他端をシャーシ３のストッパ８に当接させて固定し、シャーシ３に当接させたコイルバネの端部の付勢力でガイドシャフト２を高さ調整ネジに当接させた構成である。この構成により、ガイドシャフト２はコイルバネの伸長力で矢印Ａ方向に押圧され、スラスト方向のガタが抑制される。また、ガイドシャフト２はシャーシに当接したコイルバネ７の端部の付勢力で高さ調整ネジ５の裏面に押圧され、ラジアル方向のガタが抑制される。
【００１３】
以上のように構成において、ガイドシャフト２の高さ調整を行なうためには、まず、ネジ棒１０を作動させて、ピックアップ１をターンテーブルへの再接近位置（再生／記録領域外）に位置させる。この状態において、調整ネジ５をボス６にねじ込むと、ガイドシャフト２の一端側をコイルバネ７の端部のラジアル方向の付勢力に抗して押し下げることになり、ガイドシャフト２は押し下げられ、このガイドシャフト２に支持されたピックアップ１の高さを調整することができる。
【００１４】
また、上記とは反対に調整ネジ５を逆回転させて緩めると、コイルバネ７の端部のラジアル方向の付勢力によって押し上げられ、このガイドシャフト２に支持されたピックアップ１の高さを調整することができる。
上記のように、ガイドシャフト２を上下動させてピックアップ１の高さを調整した後、ネジ棒１０を作動させて、ピックアップ１を再生／記録領域内に移動させる。そして、ターンテーブに載置された記録媒体を回転させながら、この記録媒体の半径方向にピックアップ１を移動させて、記録媒体への情報の記録または記録媒体に記録された情報の再生を行う。
【００１５】
以上のようにこの実施の形態１によれば、ガイドシャフトの高さ調整の付勢用バネをコイルバネとし、このコイルバネのコイル部にガイドシャフトを挿入させてコイル部の一端をガイドシャフトに一体化支持させ該コイルバネを圧縮した状態で他端を固定側に支持させ、固定側に当接させたコイルバネの端部の付勢力でガイドシャフトを高さ調製部材に当接させた構成であるから、コイルバネ７の固定箇所がガイドシャフト２の端部に位置し、ガイドシャフト２の略中央に線バネを掛ける係止片が不要となり、ガイドシャフト２の近傍に他の構成部品を取り付けることができ、装置の小型化が可能になり、組立性が向上する。
【００１６】
そして、コイルバネの伸長力がガイドシャフトをスラスト方向に付勢することにより、ガイドシャフトのスラスト方向のガタを確実に抑制することができ、これまでのようにコイルバネ７の荷重をガイドシャフト２の高さ調整に必要な荷重以上に大きくする必要がない。また、シャーシに当接させたコイルバネの端部の付勢力でガイドシャフトを高さ調製部材に当接させて、ラジアル方向、つまり、高さ方向に付勢しているので、高さ調整ネジの動きに迅速に追従してガイドシャフトの高さを変えてピックアップの姿勢調整を行うことができる。
【００１７】
実施の形態２．
実施の形態２は図４、５に示すように、圧縮バネ形状のコイルバネ９のコイル部９ａをタケノコ形状としたもので、このタケノコ形状の小径部９ａ−１をガイドシャフト５に圧入固定する構成である。この構成により、タケノコ形状の小径部９ａ−１はガイドシャフト５と一体化し、実施の形態１におけるガイドシャフト２の段差部２ａに圧縮バネ形状のコイルバネ７のコイル部一端を当接させて一体化するのと同様の状態となる。この結果、ガイドシャフト２には段差部２ａを加工する必要がなく、ガイドシャフト２の加工が簡単となり、コスト低減を図ることができる。
【符号の説明】
【００１８】
１  ピックアップ、２  ガイドシャフト、２ａ  段差部、３  シャーシ、４  ガイド壁  、５  調整ネジ、６  ボス、７  圧縮バネ形状のコイルバネ、７ａ  コイル部  、７ｂ  バネ端部、８  ストッパ、９  タケノコ形状のコイルバネ、９ａ  コイル部、９ａ−１  小径部，９ｂ  バネ端部。
【図１】
2011129200.tif 000003
【図２】
2011129200.tif 000004
【図３】
2011129200.tif 000005
【図４】
2011129200.tif 000006
【図５】
2011129200.tif 000007